(57)【要約】【課題】内容物充填工程において、カートンコーナーやその近傍に破れやキズが入ったりするトラブルを防止する液体用紙容器の搬送機構及びこの機構を備えた液体充填機の提供にある。【解決手段】トップ開口部１２を有するカートン２が、３本の内面が直角鉤状で上方に延びる充填ガイド２０の下方の定位置に搬送され、真上方向Ｑに上昇してその内面に沿うように、カートン２の３つのコーナー２ａが挿入される液体用紙容器の搬送機構において、２本の対角にある充填ガイド２０の下端にサイドガイド板２１が連設され、そのサイドガイド板２１は、角筒状のカートン２の搬送方向に向かって湾曲して広がっている液体用紙容器の搬送機構である。【選択図】図１
2006335439.tif 000002
【特許請求の範囲】
【請求項１】
横断面が正方形または長方形でボトム部が密封され、トップ部が開口している角筒状のカートンのトップ開口部から液体内容物を充填する内容物充填工程で、前記トップ開口部を有する角筒状のカートンが、３本の内面が直角鉤状でなり上方に延びる充填ガイドの下方の定位置に搬送され、該定位置で停止した後、真上に上昇して前記３本の充填ガイドの内面に沿うように、前記角筒の３つのコーナーが挿入され、この位置で内容物が充填される液体用紙容器の搬送機構において、前記３本のうちの少なくとも２本の充填ガイドの下端にサイドガイド板が連設され、該サイドガイド板は、前記角筒状のカートンの搬送方向に向かって湾曲して広がっていることを特徴とする液体用紙容器の搬送機構。
【請求項２】
上記３本のうちの少なくとも２本の充填ガイドの下端に連設されるサイドガイド板は、搬送される角筒状のカートンの対角部を保持し、かつトップ開口部の上端部を保持することを特徴とする請求項１記載の液体用紙容器の搬送機構。
【請求項３】
上記請求項１または２に記載の液体用紙容器の搬送機構を備えたことを特徴とする液体充填機。
【発明の詳細な説明】
【技術分野】
【０００１】
本発明は、横断面が正方形または長方形のゲーブルトップ（切妻屋根）型などの紙製容器を製函して、ジュース、牛乳、液体調味料、酒などの液体内容物を充填する液体充填機において、ボトム部形成後の紙製容器を一個ずつ液体充填部に搬送し、トップ開口部から液体（内容物）を充填する際の、液体用紙容器の搬送機構およびこの機構を備えた液体充填機に関するものである。
【背景技術】
【０００２】
横断面が正方形または長方形でゲーブルトップ（切妻屋根）型など角筒状の液体用紙容器の液体充填機は、一般に、例えば、図４の斜視図に示すように、トップ部（１０）に口栓（１５）を有する折り畳まれた偏平な四角形状のカートン（２）を多数枚集積して、前方に１枚ずつフィードするカートン供給工程（５０）と、その偏平形状のカートン（２）を立体形状へと立ち起こし、トップ部にトップ開口部（１２）を有するようにするカートン起函工程（５１）と、起函されたカートン（２）を装填支持してカートンのボトム部（１４）を成形するボトム密封工程（以下ボトム成形工程（５３）という）と、このボトム成形工程（５３）に接続して設けられジュース、牛乳、酒等の液体内容物を充填ノズル（４２）からカートンのトップ開口部（１２）に充填する内容物充填工程（５４）と、カートンのトップ開口部を加熱するトップ開口部加熱工程（図示せず）を経て、加熱された開口部を圧着して密封する密封工程（以下トップ成形工程（５５）という）と、充填密封された角筒状の容器（液体用紙容器（１））を搬出する搬出工程（図示せず）とからなっているものである。
【０００３】
上記各工程のうち、従来の内容物充填工程（５４）では、例えば、図５の側面図およびその上面を表す図６の上面図に示すように、ボトム部（１４）が密封され、トップ部が未密封のトップ開口部（１２）を有する角筒状のカートン（２）が、トップ部がフリーの状態で、図５の側面図では手前から、図６の上面図では下方（すなわち搬送方向（Ｐ））から搬送され、定位置で停止し、その後、真上方向（Ｑ）に上昇して、支持アーム（２４）を介してブラケット（２２）に接続して固定され、上方に延びる３本の直角鉤状の充填ガイド（２０）の内面に、角筒の３つのコーナー（２ａ）が沿うように挿入され、この位置で充填ノズル（図示せず）から液体内容物が充填される搬送機構となっている。
【発明の開示】
【発明が解決しようとする課題】
【０００４】
しかしながら、上記従来の内容物充填工程の技術においては、トップ開口部（１２）を有する角筒状のカートン（２）が上昇しながら充填ガイド（２０）の内面にカートン（２）のコーナー（２ａ）が沿うように挿入される際に、例えば、折り罫線の押し罫加工や起函工程、あるいはボトム成形工程などの加工工程で角筒のコーナー（２ａ）が丸くなったりすると、そのコーナー（２ａ）が充填ガイド（２０）に接触して破れたり、あるいはコーナー（２ａ）近傍にキズが入ったりして不良品となるという問題点があった。さらにまた、内容物が充填され、充填されたカートン（２）が下降し、充填ガイド（２２）から外れる際に、内容物の液跳ね現象が発生し、機械の周辺やカートン（２）の周辺を汚すなどという問題点があった。
【０００５】
本発明は、かかる従来技術の問題点を解決するものであり、その課題とするところは、カートンのトップ開口部から内容物を充填する内容物充填工程において、たとえトップ開口部（１２）を有するカートン（２）の角筒のコーナー（２ａ）が丸くなっていたとしても、この角筒状のカートン（２）が上昇しながら充填ガイド（２０）内面に沿うように挿
入される際に、カートン（２）の角筒のコーナー（２ａ）あるいはその近傍に破れやキズが入ったりするトラブルを防止し、さらに内容物が充填されたカートン（２）が下降し、挿入されている充填ガイド（２０）から外れる際の内容物の液跳ねを防止する液体用紙容器の搬送機構およびこの機構を備えた液体充填機を提供することにある。
【課題を解決するための手段】
【０００６】
本発明に於いて上記課題を達成するために、まず請求項１の発明では、横断面が正方形または長方形でボトム部が密封され、トップ部が開口している角筒状のカートンのトップ開口部から液体内容物を充填する内容物充填工程で、前記トップ開口部を有する角筒状のカートンが、３本の内面が直角鉤状でなり上方に延びる充填ガイドの下方の定位置に搬送され、該定位置で停止した後、真上に上昇して前記３本の充填ガイドの内面に沿うように、前記角筒の３つのコーナーが挿入され、この位置で内容物が充填される液体用紙容器の搬送機構において、前記３本のうちの少なくとも２本の充填ガイドの下端にサイドガイド板が連設され、該サイドガイド板は、前記角筒状のカートンの搬送方向に向かって湾曲して広がっていることを特徴とする液体用紙容器の搬送機構としたものである。
【０００７】
また、請求項２の発明では、上記３本のうちの少なくとも２本の充填ガイドの下端に連設されるサイドガイド板は、搬送される角筒状のカートンの対角部を保持し、かつトップ開口部の上端部を保持することを特徴とする請求項１記載の液体用紙容器の搬送機構としたものである。
【０００８】
さらにまた、請求項３の発明では、上記請求項１または２に記載の液体用紙容器の搬送機構を備えたことを特徴とする液体充填機としたものである。
【発明の効果】
【０００９】
本発明は以上の構成であるから、下記に示す如き効果がある。
【００１０】
即ち、上記請求項１に係る発明によれば、トップ部が開口している角筒状のカートンのトップ開口部から液体内容物を充填する内容物充填工程で、前記トップ開口部を有する角筒状のカートンが、３本の内面が直角鉤状でなり上方に延びる充填ガイドの下方の定位置に搬送され、該定位置で停止した後、真上に上昇して前記３本の充填ガイドの内面に沿うように、前記角筒の３つのコーナーが挿入される液体用紙容器の搬送機構において、前記３本のうちの少なくとも２本の充填ガイドの下端にサイドガイド板が連設され、該サイドガイド板は、前記角筒状のカートンの搬送方向に向かって湾曲に広がっていることによって、角筒状のカートンを充填ガイドの下方の定位置までスムースに搬送し易くし、かつサイドガイド板でカートンの側面を保持することができ、よって、カートンが充填ガイドに沿って上昇する際に、たとえカートンのコーナーが丸くなって側面も膨らんでいたとしても、充填ガイドに接触しないので、カートンのコーナーが破れたり、キズが付いたりしないようになる液体用紙容器の搬送機構とすることができる。
【００１１】
また、上記請求項２に係る発明によれば、上記３本のうちの少なくとも２本の充填ガイドの下端に連設されるサイドガイド板は、搬送される角筒状のカートンの対角部を保持し、かつトップ開口部の上端部を保持することによって、たとえカートンのコーナーが丸くなり、トップ開口部の上端の側面も湾曲していても、トップ開口部の上端の２側面をしっかり保持して四角形状に修正することができ、よってこのカートンが充填ガイドに沿って上昇する際に、充填ガイドに異常な接触をしないようになるので、カートンのコーナーが破れたり、キズが付いたりしないようになり、さらに充填されたカートンが下降し充填ガイドから外れる際に、スムーズに外れるようになるので、液跳ねによる周辺の汚れなどのない液体用紙容器の搬送機構とすることができる。
【００１２】
さらにまた、上記請求項３に係る発明によれば、上記請求項１または２に記載の液体用紙容器の搬送機構を備えていることによって、カートンのコーナーの破れや、キズなどによる不良品が減少し、かつ周辺や容器が内容物で汚れたりしない液体充填機とすることができる。
【００１３】
従って本発明は、ゲーブルトップ型などの紙製容器を製函して、ジュースや酒などの液体内容物を充填する液体充填機として、優れた実用上の効果を発揮する。
【発明を実施するための最良の形態】
【００１４】
以下本発明を実施するための最良の形態を図面を用いて詳細に説明する。
【００１５】
図１、図２は、本発明の液体用紙容器の搬送機構の一事例を示す説明図であり、図３は、本発明の液体用紙容器の搬送機構の一事例でのカートンの動きを説明する側面図である。また、図４は、本発明の液体用紙容器の搬送機構を備えた液体充填機の全体説明図である。
【００１６】
本発明は、図４の液体充填機の全体説明図に示すように、ボトム部（１４）が密封され、トップ部にトップ開口部（１２）を有する四角筒状のカートン（２）に充填ノズル（４２）より酒等の内容物を充填する内容物充填工程（５４）において、この充填ノズル（４２）の位置まで四角筒状のカートン（２）をトラブル（カートンの破れ、傷等）がなく搬送する液体用紙容器の搬送機構に関するものである。
【００１７】
本発明の液体用紙容器の搬送機構は、図４に示す内容物充填工程（５４）を構成する機構であって、上記請求項１に係る発明は、例えば、図１の側面図およびその上面を表す図２（ａ）の上面図に示すように、ボトム部（１４）が密封され、トップ部にトップ開口部（１２）を有する角筒状のカートン（２）が、図１の側面図では手前から、図２（ａ）の上面図では下方（カートンの搬送方向（Ｐ））から、３本の内面が直角鉤状でなり上方に延びる充填ガイド（２０）の下方の定位置まで搬送され、その定位置で停止した後、真上方向（Ｑ）に上昇して、支持アーム（２４）を介してブラケット（２２）に接続されて固定されている３本の上方に延びる充填ガイド（２０）の直角鉤状の内面に沿うように、前記角筒状カートン（２）の３つのコーナー（２ａ）が挿入される液体用紙容器の搬送機構において、３本のうちの２本の充填ガイド（２０）の下端にサイドガイド板（２１）が連設されていて、このサイドガイド板（２１）は、図２に示すように、角筒状のカートン（２）の搬送方向（Ｐ）に向かって湾曲して広がっている搬送機構である。
【００１８】
上記サイドガイド板（２１）は、３本とも全部の充填ガイド（２０）にされていても構わない。
【００１９】
また、上記請求項２に係る発明では、例えば、図１および図２（ａ）に示すように、３本のうちの２本の充填ガイド（２０）の下端に連設されるサイドガイド板（２１）は、例えば、図１のＢ−Ｂ面を表す図２（ｂ）の断面図に示すように、搬送される角筒状のカートン（２）の対角にあるコーナー（２ａ）を保持し、かつ、図１に示すように、カートン（２）のトップ開口部（１２）の上端部を保持する液体用紙容器の搬送機構とするものである。
【００２０】
以上のような液体用紙容器の搬送機構とすることによって、例えば、図２（ａ）に示すように、四角筒状のカートン（２）を充填ガイド（２０）の下方の定位置まで搬送する際に、搬送方向（Ｐ）に向かって湾曲して広がっているサイドガイド板（２１）に沿うようにスムースに搬送し易くし、かつ定位置で抑えられ、さらに図２（ｂ）に示すように、サイドガイド板（２１）でカートン（２）の側面を保持することができる。
【００２１】
このことによって、たとえカートンのコーナーが丸くなって側面も膨らんでいたとしても、図２（ｂ）に示すように、角筒状のカートン（２）の対角にあるコーナー（２ａ）をサイドガイド（２１）で両側から保持して四角形状に修正することができ、よって、例えば、図１に示すように、このカートン（２）が充填ガイド（２０）に沿って上昇する際に、充填ガイド（２０）に異常な接触をしないようになるので、カートン（２）のコーナー（２ａ）が破れたり、コーナー（２ａ）や側面などにキズが付いたりしないようにした液体用紙容器の搬送機構である。
【００２２】
さらにまた、例えば、図３の側面図に示すように、内容物（液体）が充填されたカートン（２）が下方に下降して充填ガイド（２０）から外れる際に、スムーズに外れるようになるので、内容物の液跳ね現象を防止することができ、よって機械の周辺やカートン（２）のトップ開口部（１２）周辺の汚れなどのない液体用紙容器の搬送機構とすることができる。
【００２３】
また、上記請求項３に係る発明では、例えば、図１に示すように、２本の充填ガイド（２０）の下端にサイドガイド板（２１）が連設されている液体用紙容器の搬送機構を備えた液体充填機とするもので、このような液体用紙容器の搬送機構を備えていることによって、カートン（２）のコーナー（２ａ）の破れや、キズなどによる不良品が減少し、かつ機械の周辺や容器周辺が内容物で汚れたりしない液体充填機とすることができる。
【図面の簡単な説明】
【００２４】
【図１】本発明の液体用紙容器の搬送機構の一実施の形態を側面で表した説明図である。
【図２】本発明の液体用紙容器の搬送機構の一実施の形態を説明するもので、（ａ）は、上面図であり、（ｂ）は、図１のＢ−Ｂ面の断面図である。
【図３】本発明の液体用紙容器の搬送機構の他の実施の形態を説明するもので、カートンの動きを側面で表した説明図である。
【図４】本発明の液体用紙容器の搬送機構を備えた液体充填機の一事例を斜視図で表した説明図である。
【図５】従来の液体用紙容器の搬送機構の一事例を側面で表した説明図である。
【図６】従来の液体用紙容器の搬送機構の一事例を上面で表した説明図である。
【符号の説明】
【００２５】
１‥‥液体用紙容器
２‥‥トップ部が開口したカートン
２ａ‥‥カートンのコーナー
１０‥‥トップ部
１２‥‥トップ開口部
１４‥‥ボトム部
１５‥‥口栓
２０‥‥充填ガイド
２１‥‥サイドガイド板
２２‥‥ブラケット
２４‥‥支持アーム
４２‥‥充填ノズル
５０‥‥カートン供給工程
５１‥‥カートン起函工程
５３‥‥ボトム成形工程
５４‥‥内容物充填工程
５５‥‥トップ成形工程
Ｐ‥‥搬送方向
Ｑ‥‥真上方向
Ｒ‥‥真下方向
【図１】
2006335439.tif 000003
【図２】
2006335439.tif 000004
【図３】
2006335439.tif 000005
【図４】
2006335439.tif 000006
【図５】
2006335439.tif 000007
【図６】
2006335439.tif 000008